(57)【要約】【課題】  利用されていない部分を他の目的に使用可能とした小物品を置けるセロハンテープ台を提供する。【解決手段】  外殻１０と、２個の引き出し２０と、円形軸３０と、二滑り止め４０と重り５０とで組み合せて構成される。セロハンテープ台の外殻１０の底部１１に横向きに凹んだ中空部を設置する。中空部の中には外殻１０の外に引き出し可能な引き出し２０を設置する。中空部の左右両側壁には各第一ひっかけ部を設置し、引き出し２０の前部の左右両側に第二ひっかけ部を形成し、第一ひっかけ部と第二ひっかけ部が相互にひっかかり合う様にする。更に中空部の底部には第一滑り案内部１１７を設置し、引き出し２０の底部にはこの第一滑り案内部の上にはまり合って移動可能な第二滑り案内部を形成し、更に第一滑り案内部の後端と第二滑り案内部の前端には各第一止め部と第二止め部を形成して、引き出しが全部中空部から脱落しない様に構成している。【選択図】    図１
0003114110.tif 000002
【実用新案登録請求の範囲】
【請求項１】
上表面には粘着テープを設置可能であり、底部には少なくとも中空部を有し、前記中空部の左右両側壁には第一ひっかけ部を有し、更に前記中空部の底面には少なくとも第一滑り案内部を有し、前記第一滑り案内部の前端に第一止め凸起を有する外殻と、
上面に開き口を有し、前部の左右二側面壁に第二ひっかけ部を有し、底面には少なくとも凹んだ第二滑り案内部を有する引き出しとを備える小物品を置ける粘着テープ台であって、
前記引き出しは前記外殻の前記中空部の中に入っている時は、前記第二滑り案内部と前記第一滑り案内部が相互にはまり合って、前記引き出しが滑動可能であり、前記引き出しは後端に第二止め部を有し、前記引き出しが前記中空部から引き出される場合には前記第一滑り案内部の前記第一止め凸起が前記第二止め部を止めて、前記引き出しの引き出される位置を限定して外に脱落しない様に構成されていることを特徴とする小物品を置ける粘着テープ台。
【請求項２】
前記第一ひっかけ部は凸出縁にして、前記第二ひっかけ部は欠け口であることを特徴とする請求項１記載の小物品を置ける粘着テープ台。
【請求項３】
前記第一滑り案内部はレールにして、前記第二滑り案内部はレール溝であることを特徴とする請求項１記載の小物品を置ける粘着テープ台。
【請求項４】
二個の前記第一滑り案内部と二個の前記第二滑り案内部を持つことを特徴とする請求項１記載の小物品を置ける粘着テープ台。
【請求項５】
前記外殻は底部殻と上部殻とで上下に組み合せて構成され、前記底部殻と前記上部殻はその中に中空部を囲って形成していることを特徴とする請求項１記載の小物品を置ける粘着テープ台。
【請求項６】
前記底部殻は所定の位置に中空部を有し、前記中空部に重りを設置していることを特徴とする、請求項１記載の小物品を置ける粘着テープ台。
【請求項７】
前記外殻の後端部の上端には少なくとも筆孔を有し、筆をその中に差し込み可能であることを特徴とする請求項１記載の小物品を置ける粘着テープ台。
【請求項８】
前記外殻の上表面に粘着テープロールの一部分を受け入れられる凹み部を有し、前記凹み部の一側面壁に上方に開く半円よりやや大きい軸孔を有し、前記側面壁と相対する別の側面壁にカーブ状の軸受け凹みを有し、前記軸受け凹みの底部にはめ凸起を持ち、前記軸孔と前記軸受け凹みの間に円形軸が置かれて、前記円形軸は粘着テープロールの中心孔を貫通することが可能であり、前記円形軸は管状にして前記軸受け凹みにはまる末端は欠け口を有し、前記軸受け凹みの前記凸起が前記欠け口にはまり、前記欠け口は予定方向の円周部に前記欠け口と連通するはまり溝を有し、前記円形軸が予定方向に回転された時は前記はまり溝が前記軸受け凹みの前記凸起とはまり合って、前記円形軸の回転が止められる様に構成されていることを特徴とする請求項１記載の小物品を置ける粘着テープ台。
【請求項９】
前記円形軸の長さはほぼ前記軸孔と軸受け凹みの間の距離と等しく、前記円形軸が前記軸孔にはまり末端は扁平状の握り部を形成し、前記円形軸が前記外殻の前記凹みの中に設置されたとき、前記握り部の上表面はその両側の前記外殻の上側面と平らになることを特徴とする請求項８記載の小物品を置ける粘着テープ台。
【請求項１０】
前記外殻の底面に少なくとも一個の滑り止めをはり付けていることを特徴とする請求項１記載の小物品を置ける粘着テープ台。
【考案の詳細な説明】
【技術分野】
【０００１】
本考案は、粘着テープ台に関する。
【背景技術】
【０００２】
従来の粘着テープ台は上殻と底殻とで形成される外殻と、上殻の前端に鋸歯状の小刀を設置してセロハンを切る様にし、更に上殻の中段の凹み部を有し、この凹み部に軸を横向きに設置して粘着テープロールを軸の上にはめ付けて、粘着テープが軸を中心にして回転可能とし、粘着テープがロールから連続的に引き出せられる様にして使用可能である。更に上殻と底殻の間の中空部に砂などを設置して外殻の重量を増加させ、粘着テープが引き出される時にテープ台がむやみに動かない様にしている。
【考案の開示】
【考案が解決しようとする課題】
【０００３】
しかしながら従来の粘着テープ台はまだ沢山の部分が利用されていない。したがって本考案の目的は利用されていない部分を他の目的に使用可能とした小物品を置ける粘着テープ台を提供することにある。
【課題を解決するための手段】
【０００４】
上述の目的を達成するために本考案の請求項に記載の小物品を置ける粘着テープ台は、粘着テープ台の外殻の底部に横向きに凹んだ中空部を設置する。中空部の中には外殻の外に引き出し可能な引き出しを設置する。中空部の左右両側壁には各第一ひっかけ部（凸出縁）を設置し、引き出しの前部の左右両側に第二ひっかけ部（欠け口）を形成し、第一ひっかけ部（凸出縁）と第二ひっかけ部（欠け口）が相互にひっかかり合う様にする。更に中空部の底部には第一滑り案内部（レール）を設置し、引き出しの底部にはこの第一滑り案内部（レール）の上にはまり合って移動可能な第二滑り案内部（レール溝）を形成して、更に第一滑り案内部（レール）の後端と第二滑り案内部（レール溝）の前端には各第一止め部（止め凸起）と第二止め部（止め部）を形成して、引き出しが外に引き出された時には、これらの第一止め部（止め凸起）と第二止め部（止め部）に止められて、引き出しが全部中空部から脱落しない様に構成している。
【０００５】
本考案により引き出しの中には小さい物品、例えば、クリップ、押しピン、消しゴム等を入れて置くことが可能であり、粘着テープはその外殻の内部の未使用の部分を利用している。
【考案を実施するための最良の形態】
【０００６】
以下、本考案の実施例を図面に基づいて説明する。
本実施例による粘着テープ台は図１、図２および図３に示すように、外殻１０と、２個の引き出し２０と、円形軸３０と、二滑り止め４０と重り５０とで組み合せて構成される。
【０００７】
外殻１０は底部殻１１と上部殻１２とで形成され、底部殻１１は底板１１１と、底板１１１の中段部の両側から上方に伸びた各側面板１１２と、両側面板１１２の間に固設される二間隔板１１３とを有する。両側面板１１２と両間隔板１１３は中空室１１４を囲って形成し、中空室１１４の底部には二孔１１５を附設している。又二間隔板１１３の外側にある二側面板１１２の部分にはその上端縁に第一ひっかけ部となる凸出縁１１６が設けられ、更に二間隔板１１３の中の右側（図２から見た位置で）の間隔板１１３の外側の底板１１１の上表面には二第一滑り案内部となる二本のレール１１７が附設されていて、各レール１１７の前端には各止め凸起１１８を付けている。
【０００８】
上部殻１２はその周囲に壁板１２１を有し、壁板１２１の底縁は底部殻１１の二側面板１１２の頂縁と相互に接触し、底部の中段部に凸出部１２２を有し、更にこの凸出部１２２から二本の柱１２３が下に伸びて設けられている。底部殻１１の中段部の中空室１１４の底部の二孔１１５と向い合って、ボルト１２４で二孔１１５と二本の柱１２３とをねじ付け合せて上部殻１２と底部殻１１を組み合せる。上部殻１２の凸出部１２２の前部と後部は底部殻１１との間に中空部１３を形成し、更に上部殻１２は凸出部１２２と相対する上部に粘着テープロールを受け入れられるテープロール孔１２５を形成する。テープロール凹み１２５の一側面壁には半円より大きい軸孔１２６を設けて、更にその相対の側面壁には上方に開き口を持つカーブ状の軸受け凹み１２７を設けて、又この軸受け凹１２７の下の底壁にははまり凸起１２８を付ける。又上部殻１２の後端部に二個の筆孔１２９を設けて筆をさしこんで置けるようにする。
【０００９】
引き出し２０は底板２１と周囲の側面板２２とで構成される。底板２１と側面板２２は上に開き口を持つ小物品を置く中空室２３を囲って形成し、左右両側面板２２は低階段のかかり合せ上縁２４を有する。かかり合せ上縁２４両側面板２２の部分の外壁面に第二かかり合せ部となる欠口２５を設け、又引き出し２０の底面には第二滑り案内部となる二本のレール溝２６を設け、各一本のレール溝２６の後端には上方に凸出する止め部２７を設ける。引き出し２０が外殻１０前後部の中空部１３の中に押しこまれる時に、底面のレール溝２６は底部殻１１のレール１１７にはまり合って滑り動く。引き出し２０が内の方に滑り入った時、ひっかけ縁２４は底部殻１１左右の側面板１１２の上端縁とかかり合って、二欠け口２５が底部殻１１の左右両側板１１２の凸出縁１１６とはまり合って引き出し２０が定位される。又引き出し２０が外の方に引き出された時は、止め部２７が底部殻１１のレール１１７の止め凸起１１８に止められて、引き出し２０は外に脱落しない。
【００１０】
円形軸３０は図４、図５および図６に示すように、管状にしてその長さが丁度軸孔１２６と軸受け凹み１２７との間の距離とほぼ同じで、その両端が軸孔１２６と軸受け凹み１２７にはまって、粘着テープロールの中心孔を貫通することが可能である。更に円形軸３０が軸受け凹み１２７とはまる末端には欠け口３１を有し、軸受け凹み１２７のはまり凸起１２８とはまり合う。同時に欠け口３１の下末端にはまり溝３２を有し、円形軸３０が予定方向に回転したら、はまり溝３２がはまり凸起１２８とかかり合って止められて、軸３０の回転が限定される。なお、軸３０が軸穴１２６にはまる末端は扁平状の握り部３３を形成して、円形軸３０の設置を完了した後は、この握り部の上面３３１が上部殻１２の長い両側の上端面と平らになる。
【００１１】
二個の握り止め４０は平板状にして底部殻１１の底面に固設されて、粘着テープ台が置かれた平面からむやみに滑り動くことを防止する。
重り５０は底部殻１１の中空室１１４の中に置かれて、粘着テープ台の重さを増加させるものである。
【００１２】
本実施例による粘着テープ台の引き出し２０を使用する時は引き出し２０の左右両側を指で軽くおさえて、外の方へ引き出せば、その両側の欠け口２５が底部殻１１の凸出縁１１６から離れて、その底面のレール溝２６が底部殻１１の底面にあるレール１１７に沿って滑り動き、引き出し２０は滑らかに外に移動する。そして引き出し２０が連続して引き出されて、止め部２７が止め凸起１１８に止められたら引き出し２０は止められてもう外に動かなくなり、外殻１０から脱離することはない。
【００１３】
本実施例による外殻１０の両側に設置された引き出し２０は粘着テープ台の利用されていない余計な部分に設置されているので、小物品を置ける効果がある。又引き出し２０と外殻１０との間はレールとレール溝の相互関係により、その引き出しと推しこみが非常に滑らかで、且つ推しこんで閉めた時は弾性的かみ合せにより止められ、又引き出して開けた時は止め凸起の作用により完然に外殻１０から脱落しない効果があり、操作が簡易で便利である。
【図面の簡単な説明】
【００１４】
【図１】本考案の実施例による小物品を置ける粘着テープ台を示す斜視図である。
【図２】本考案の実施例による小物品を置ける粘着テープ台の部分分解斜視図である。
【図３】本考案の実施例による小物品を置ける粘着テープ台の引き出しの設置状況を示す断面図である。
【図４】本考案の実施例による小物品を置ける粘着テープ台の軸の斜視図である。
【図５】本考案の実施例による小物品を置ける粘着テープ台の軸が設置されてる状況を示す上視図である。
【図６】本考案の実施例による小物品を置ける粘着テープ台の軸が回転する状況を示す側面断面図である。
【図７】本考案の実施例による小物品を置ける粘着テープ台の引き出しが引き出されている状況を示す断面図である。
【符号の説明】
【００１５】
１０  外殻、１１  底部殻、１２  上部殻、１３  中空部、２０  引き出し、２１  底板、２２  側面板、２３  中空室、２４  ひっかかり縁、２５  欠け口、２６  レール溝、２７  止め部、３０  円形軸、３１  欠け口、３２  はまり凹み、３３  握り部、４０  滑り止め、５０  重り、１１１  底部板、１１２  側面板、１１３  間隔板、１１４  中空室、１１５  孔、１１６  凸出縁、１１７  レール、１１８  止め凸起、１２１  壁板、１２２  凸出部、１２３  柱、１２４  ボルト、１２５  テープロール孔、１２６  軸孔、１２７  軸受け凹み、１２８  はまり凸起、１２９  筆孔
【図１】
0003114110.tif 000003
【図２】
0003114110.tif 000004
【図３】
0003114110.tif 000005
【図４】
0003114110.tif 000006
【図５】
0003114110.tif 000007
【図６】
0003114110.tif 000008
【図７】
0003114110.tif 000009